(57)【要約】【課題】  色材セットにおいて、従来の絵の具、ポスターカラー等は、それらを混合したときに何色になるかを見出すための科学的方法がほとんどないために、結局は各色を実際に混ぜてみなければわからず、初心者には混色結果を容易に予測できるものではなく、そのため調色作業は特別な経験と勘、技術を必要とした。【解決手段】  そこで本発明は、各色材のＣＩＥ  ＨＶ／Ｃ、色度ｘ，ｙ、視感反射率、同透過率、Ｌ＊ａ＊ｂ＊等の色特性、あるいは各社色材番号等をスマホの色計算ソフトに入力すれば、任意の合成色の混色値とともに該数値と整合する＜デジタル色標準＞を発色させ、その正しい可視色を使用説明書等に表示可能にすることによって、何色と何色を混色すると何色になるかが誰にでも容易迅速、確実に見いだせる色材混色システムを提案する。【選択図】図５
2020085876.tif 000002
【特許請求の範囲】
【請求項１】
各種の色材セット（クレオン、パステル、鉛筆、水彩絵の具、油絵具、マーキングペン、ポスターカラー、ペンキ、染料、顔料、インク等）において、各色材を一定の割合でまぜ合わせたときに何色になるのかを、混合しようとする各色材のＪＩＳ色特性（ＨＶ／Ｃ、色度ｘ，ｙ、視感反射率あるいは透過率Ｙ、Ｌ＊ａ＊ｂ＊等）、あるいは各社の色材番号等をスマホ（携帯端末、タブレット等）の色計算アプリに入力したときに、合成された予想ＪＩＳ混色値とともに該数値に整合する＜デジタル色標準＞をモニタ画面に発色させることによって、各種色材の一定割合における混色結果を混色値と可視色によって得られるようにしたことを特徴とする、ＪＩＳ混色値を計算可能にした色材セットシステム。
【請求項２】
において、混合しようとする各色材のＪＩＳ色特性（ＨＶ／Ｃ、色度ｘ，ｙ、視感反射率あるいは透過率Ｙ、Ｌ＊ａ＊ｂ＊等）、あるいは各社の色材番号等を入力したときに、予想合成色数値と該数値と整合する＜デジタル色標準＞をモニタに発色可能にしたことを特徴とするスマホ（携帯端末、タブレット等）の色計算アプリケーション。
【発明の詳細な説明】
【発明の詳細な説明】
【技術分野】
【０００１】  本発明は、絵の具などの色材（クレオン、パステル、鉛筆、水彩絵の具、油絵具、マーキングペン、ポスターカラー、ペンキ、染料、顔料、インク等）の減法混色による混色結果を色計算によってその混色値（ＪＩＳ、ＣＩＥ値）を計算しかつ該当する正しい可視色を提示可能にする色材混色システムに関わる。
【背景技術】
【０００２】  市販の色材セットにはマンセルＨＶ／Ｃ値が記載されたものもあり、混色回転盤などもあるが、減法混色の科学的計算によって確実に予測できる色材システムはこれまでにないどころか、減法混色で色が計算できるということすら専門家、また学会レベルにおいてもほとんど理解されてはいない状態にある。
【発明が解決しようとする課題】
【０００３】  そのため、ＷＥＢにおいて「赤色と青色を混ぜると紫色になる理由を教えて欲しい」という疑問に寄せられた１９ページにわたる多数回答のベストアンサーですら正解がないというありさまである。それは減法混色にかかわる色彩科学知識と色彩科学技術ノウハウが欠除しているからであるが、その正解をＲＧＢ三原色とＣＭＹ三原色の色混合で説明すれば、以下の二行で納得可能になろう。つまり、「赤Ｒと青Ｂの混合は１Ｍ１Ｙ＋１Ｃ１Ｍ、その合計は２Ｍ１Ｙ１Ｃとなり、等ＣＭＹ（スミ）に１Ｍが加えられた暗い赤紫色となり、濃い場合はほとんど黒。」となる。
【０００４】  減法混色は与えられる光エネルギー（一般には白色光）から見かけの色光以外の光エネルギーが色材によって吸収されることによって得られるきわめて日常的な混色法であるが、現時点においては、上記のようにわかりやすい減法混色の論理と、さかのぼればがＪＩＳであり色計算の基本ＣＩＥ  ＸＹＺ１９３１法が専門分野においても十分に普及しておらず、そのために一般国民にはほとんど知らされていないその最大の理由は、色彩学界と色彩行政の長年にわたる構造的欠陥によるものである。
【０００５】  その構造的欠陥例を具体的にあげるならば、［００１０］において後述される「ＣＭＹ減法混色システム」が日本色彩学会に提案されると、その機関誌日本色彩学会誌（当時編集長名取和幸）はすかさず同月の学会誌に「減法混色用語無用論」（筑波大学名誉教授金子隆芳／日本色彩学会誌３３−１、ｐ．６３  ３／２０００）を掲載した。それは、学会員たちにそこで提案される「ＣＭＹ減法混色システム」があたかも「無用」であるかを印象づけることを目的としたたものであることはあきらかであり、業務妨害行為であるとともに、色彩科学の進歩発展に逆行する定款違反に相当する行為でありながらその暴挙はいまだに放置されたままなのである、
そして、「三原色とＣＩＥ  ＸＹＺ１９３１法」に関する書物ではこれも常識では考えられない暴挙が放置されたままである。たとえば、該編集長の出向元である日本色彩研究所（以下色研）編の「色の百科事典」（丸善／２００５）においては本来不可欠の「減法混色」の文字はあっても解説が一行もない。「マゼンタ」、「シアン」の色名が索引になく、ここでも減法混色を無用にしている。なぜであろうか。そしてあろうことか、ＪＩＳであり色計算の基本の「ＣＩＥ  ＸＹＺ１９３１法」が完全に抜け、こうして三原色とＣＩＥ  ＸＹＺの重要事項が潰されていることが明らかになる。これが日本の色彩学会、それを支配する色権威の姿であり、この一例をもってしても日本の色権威が色彩科学と知識を意図的に操作しているかが判明し、したがって「減法混色と色計算法」は世に知られていないのである。はっきりいってこれらは「日本色権威による知る権利の侵害」、「知識撹乱の悪行」、憲法違反行為である。このような知識の撹乱と知識妨害があっては憲法で保障されているはずの「文化的な生活」できない。その意味で日本はいまだ文明国家とはいえない。文部科学行政の大きな欠陥がここにある。
【０００６】  そして、その結果、ＪＩＳ採用のＣＩＥ  ＸＹＺ色計算原理と方法はすでに１９３１年に完成しているが、近年の学会誌特集＜測色事始そくしょくことはじめ／鈴木卓治氏論文（Ｐ．６５＊／２８巻第２号／日本色彩学会誌２０１４）においては、いろいろと試行錯誤のあとの結論は「測ったつもりになっているものが、本当に正しい色情報なのか、を自問自答し」と書かれている。つまり「現状では色は測れない」の証言である。日本色権威（実は一色材事業社の幹部）の「悪行」の色混乱の根はどこどこまでも深いＧ、これを放置していては日本は滅びる。
【０００７】  その意味においても、色の数理的、実証的色彩科学の進歩普及は日本国にとって急務なのである。そこで本発明はＪＩＳにも採用されているＣＩＥ  ＸＹＺ表色系と減法混色ノウハウを用いることによって、科学的に混色値を確実に見いだして数値的に特定し、正しい混合値を可視可能にする色材セットシステムの構築によって、あわせて上述した減法混色と三原色ＸＹＺにかかわる色彩科学知識と色彩科学技術のおかれている現状を糾し、色彩科学と色彩文化の正常な進歩発展に貢献しようとするものである。
【課題を解決するための手段】
【０００８】  本発明はその目的を達成するために、
各種の色材セット（クレオン、パステル、鉛筆、水彩絵の具、油絵具、マーキングペン、ポスターカラー、ペンキ、染料、顔料、インク等）において、各色材を一定の割合でまぜ合わせたときに何色になるのかを、混合しようとする各色材のＪＩＳ色特性（ＨＶ／Ｃ、色度ｘ，ｙ、視感反射率あるいは透過率Ｙ、Ｌ＊ａ＊ｂ＊等）、あるいは各社の色材番号等をスマホ（携帯端末、タブレット等）の色計算アプリに入力したときに、合成された予想ＪＩＳ混色値とともに該数値に整合する＜デジタル色標準＞をモニタ画面に発色させることによって、各種色材の一定割合における混色結果を混色値と可視色によって得られるようにして問題を解決している。
【０００９】  その根本問題の解決法となる背景技術について記述する。
従来の通常知識では、たとえ二色のＨＶ／Ｃ、ｘｙ、Ｙ、Ｌ＊ａ＊ｂ＊値が判明しても、そもそもＪＩＳ、ＣＩＥ系列ではいずれにしても色の加減算ができない。つまり、減法混色で何色になるかの数値化はできない。したがって、本発明のような混合色が明確にわかる色材セットシステムの構築はＪＩＳ、ＣＩＥ系列では不能となるが、ＣＭＹ色計算ができれば可能になるとはいえ、計算値が得られても、その正しい色の可視化が困難な状態にあるかぎり目的は達成されない。
【００１０】  それでは、減法混色結果を科学的に得るにはどうすればよいのであろうか。
同一出願人は、減法三原色のＣＭＹフィルターによる「ＣＣフィルター使用の新しいカラーシステム」（参考文献：写真工業／７月号／１９７５年。新版写真技術ハンドブック（ＣＣフィルターによる色の取り扱い法／Ｐ．４１／ダヴィッド社）をコンピュータカラーシステム（特許第３２２５２９７号）に発展させ、モニタ機器を用いておこなうデジタル色標準システムを創出し、それをＡｐｐｌｅ  Ａｐｐの＜ＲＷ  ＣＩＥ  Ｃａｌｃ＞（発売：１１／２０１５）として判定装置とともに実用化し、従来色票法に代わる＜デジタル色標準＞時代の基礎を築いた。
【００１１】  直近の＜デジタル色標準＞システムの内容は、特願２０１４−２６７３１２「視感色数値化と色記号の視感色検証を可能にする総合色システム」に記載のように、＜デジタル色標準＞システムは特定のモニタ機器の端末（Ａｐｐｌｅ  ｉＰｈｏｎｅ６，７、ｉＰａｄ、以下端末）によってＣＩＥ、ＪＩＳ色数値（ＸＹＺ、ｘｙＹ、Ｌａｂ、およびマンセルＨＶＣ）を入力すれば標準色票と等色可能な最大１６７万色に相当する＜デジタル色標準＞が発色可能として、すでに従来不能の厳密な視感測色と測色値検証を可能とし、そこでは視感判定で避けられない観察するときの光源の種類、観測者の眼の色特性の相違や感覚によるあいまいさは、客観カメラ（Ａｐｐｌｅ  ｉＰｈｏｎｅ６，７、ｉＰａｄのカメラに限る）判定によって完全に解消され、視感判定とカメラ判定の等色数値差から色覚相違も数値的に判定可能になるようになっているが、この色材混色においても、照明状態に応じた標準光源が選択でき、カメラ判定も可能となって矛盾のない正しい確実な混色結果を得ることが可能になる。
【発明を実施するための最良の形態】
【００１２】  表１は本発明において説明書等に表示する「ＪＩＳ色名とＨＶ／Ｃ値とＣＭＹ値」の一例である。図中１は色材番号であり、そこにはＪＩＳ  Ｓ６０２５におけるＪＩＳ色名とその該当ＨＶ／Ｃ値が記載されている。しかし、先に述べたようにＨＶ／Ｃ値、またＬ＊ａ＊ｂ＊値も同様に減法混色値は得られないだけでなく、たとえ色数値がわかってもその正確な色を得ることができないという決定的欠陥があり、これまでは確実な混色結果の予測はできなかった。【００１３】  そこで、本発明では色計算結果とモニタ発色に厳密に整合する上述の＜デジタル色標準＞値が得られる携帯端末（Ａｐｐｌｅ  ｉＰｈｏｎｅ６，７、ｉＰａｄ、以下端末）の機能を用いることによって、色の加減算が可能なＣＭＹ値に換算し、混合色のＣＭＹ値を合算した値を発色可能にできるが、ダイレクトに色材番号の入力で混色値と可視色を得て、そのデジタルデータの正しい印刷色によって確実なデジタル色と印刷色が容易に可能になって本発明の目的が達成可能になる。【００１４】  さて、図１は主なＪＩＳ色名とＨＶ／Ｃ値およびそのＣＭＹ値表であり、図中１は色材番号およびＪＩＳ記載の色名およびそのＪＩＳ  ＨＶ／Ｃ値（ＪＩＳ  Ｓ６０２５記載値）、１ｂは上記携帯端末により該ＨＶ／Ｃ値を変換したＣＭＹ濃度値である。いずれも光源はＤ６５光源によるもので、その標準光源は各Ａ、Ｂ、Ｃ、Ｆ光源値に変換可能となる。つまり本発明ではきわめて厳密な混色結果が得られるということにほかならない。【００１５】  図２は図１にある二色を混合したときに得られる合成色の合計ＣＭＹ値とその合計ＣＭＹ値かをＨＶ／Ｃ値に変換した表示例であり、このように、本発明ではたとえば等量の組み合わせで得られる合成された混色値およびその正しい可視色をもって提示可能になる。
たとえば２のＡ色＝２＋８の場合の反射色は２＋８のＣＭＹ値の合計値は９２．２Ｃ  ４９．７Ｍ７８．７Ｙとなり、さらなる変換によって合成色は１０ＧＹ  ３．３／７．６になることが判明し、３、４、５のＢ、Ｃ、Ｄ混合色も同様に計算可能になる。【００１６】  その混合値である合成色と標準色票を比較してみるとその色度（ＨＶ／ＣのＶを除く値）の整合性は驚くほどである。
図３はそのＪＩＳに準拠とある水彩絵の具を実際に等量で混合しＤ６５光で撮影した実験例であるが、色度については計算通り、図３におけるＡはマンセル色票中の１０ＧＹ８Ｃの各段階色度とＤ６５光源において近似等色し色度はきわめて近似して整合している。他のＢ、Ｃ、Ｄ色についても同様であり、色度はマンセル色票の色度ときわめて近似し違和感はなく、高精度の混色結果が得られている。【００１７】  図３は、上記Ａ、Ｂ、Ｃ、Ｄ各色を色計算ソフトで試算した場合の図に代えた画像であり、このようにして、任意色材の予想混合計算が可能になり、モニタ画面中のＲボタンにより反射色が、Ｔボタンにより透過色値が計算可能になる。
９ｂはその透過色計算例であり、色材を透明支持体上で混色した場合、ステンドグラス色とする場合の混合色が予測できるということである。そして、その透過色は反射色の高明度色値として用いることができ、一般には、このように透過色計算値Ｔを高明度値として、ＪＩＳ標準色票集の同一色相面における、同一彩度をもつ明度段列（縦列）を提示することができる。
【発明の効果】
【００１８】  本発明では、上記したように、これまで色名でしか不能であった減法混色による混色予想結果をＪＩＳ，ＣＩＥ  ＸＹＺ１９３３系で数値を特定し、また正確な可視色を示すことによって、これまで不明の確実な混色色度が判明するシステムの確立によって、本発明を応用した色材システムにおいては、ユーザーは迷いなく的確に絵具選択が可能という革命的な効果が得られる。
同時に、その可視色は色数値に整合する、つまりＪＩＳ標準色票と等色可能な精度をもって表示し、印刷色はデジタル色をそのまま印刷することが可能になり、プリンターの色再現を正しく調整すれば混色結果も正常に印刷可能になる。
【００１９】  これにより、業界の実務も、色彩科学教育も改革可能となる、曖昧さと不確実性、デタラメが許容されてきた理不尽に終焉を告げる色彩科学と色彩文化革命である。つまり、新しい色彩科学時代の開幕である。
【００２０】  図４はその証拠物件であり、１０はＡ（▲２▼＋▲８▼）の絵の具の混色例と１０ＧＹ／７の三明度段階のマンセル色票との比較検証、１１はＢ（▲７▼＋▲１０▼）の絵の具の混色例と２．５ＹＲ／７の三明度段階のマンセル色票との比較検証。１２はＣ（▲７▼＋▲８▼）の絵の具の混色例と１０ＰＢ／１２の三明度段階のマンセル色票との比較検証。１３はＤ（▲８▼＋▲１０▼）の絵の具の混色例と７．５Ｇ／６の三明度段階のマンセル色票との比較検証例である。
【実施例】
【００２１】  図５は、ＪＩＳに準拠しているとされる水彩絵の具４本の混色ガイドの一実施例であり、各色の組み合わせでそれぞれどのような混色が得られるかが一目瞭然となる。１４は各色を反射色としてたとえば白紙上で混ぜ合わせた場合の合成色例であり、１５は各色を透過色としてたとえば透明板上で混ぜ合わ透過させた場合の合成色例である。
なお、ここで示された透過色は反射色濃度のおよそ二分の一の濃度値であり、したがって、色材を水、透明溶剤で薄めた場合の反射色の濃度でもある。いいかえれば、絵の具、ポスターカラー等を薄めた場合の高明度色の色度も高精度で判明するということにほかならならない。【００２２】  したがって、［０００３］において「赤色と青色を混ぜると何色になるかを教えて欲しい」という質問に対しても、本発明では、各色を定義し、数値化し、数値化に対応するデジタル発色によって、図５のＪＩＳ色の▲７▼（あか）＋▲８▼（あお）の反射色１４、透過色１５がどのような色になるかが、正しい数値と可視色で特定される。
つまり、その▲７▼（あか）＋▲８▼（あお）の混色では、反射色は色相は１０ＰＢで彩度は７と計算されるが、明度Ｖは０．５、Ｙでは１％以下であるから、反射光はゼロに等しく一言で言えば「黒」。しかし、フィルターやステンドグラスとしたとの透過色計算値はｘ．５６３ｙ．３１６  Ｙ３１、Ｌ４６  ａ６３  ｂ９０となり、Ｙ３０％、Ｌ４６の紫色となることが明確になる。【００２３】  なお、ここに示される透過色は色材の濃度が低いとき、水や溶剤で薄めたときの状態に近似するので、それぞれの混色結果は反射色で示す色、図５の１４側を高濃度色、図５の１５側を低濃度色として捉えることが可能になり、そこに矛盾がないことが図４のような検証によって証明されている。
色材はその透明度や、散乱係数その他、溶剤によってまた薄め方によって、その混色結果は異なってくるが、不透明色材、ポスターカラー等みよる検証結果も同様であり、さらに厳密には色材特性に応じた調整が必要だが、一般にはそれ以上のデータは不要といえる、いわば究極の混色結果が検証可能になる。【００２４】  図６は直接的に混色結果が判明するようＣＩＥ  ＸＹＺ１９３１の色計算法を基本に、Ａ、Ｂ二色の色材情報の入力により、等量での各種混色数値とモニタ発色を可能とするスマホアプリの一実施例である。使用においては、まず色材選択窓２２において２２ａから２２ｄの色材選択キーを用いて色材特性をメーカー、水彩絵の具、油絵の具、ポスターカラー別に、あるいは、直接的に色材番号、ＨＶ／Ｃ数値等を入力可能にする。【００２５】  たとえば、絵の具チューブ等の色材にそのＨＶ／Ｃ値が記載されている場合は図６のように、一方のＡ色の黄色の厳密値「１０Ｙ  ９．０／１２」を、他方Ｂ色の黄緑色の厳密値「８．５ＧＹ  ７．０／１１」を１７および１８のアップダウンキーで選択するだけで１９ａの混合色の低濃度（透過）表示と１９ｂの高濃度表示色の混色結果が、色計算結果がＨＶ／Ｃ、ＣＩＥ  ＸＹＺ、ｘ，ｙ、Ｙ、Ｌ＊ａ＊ｂ＊値等とともに正しい合成色を知ることが可能になる。
なお、混色表示部は、たとえば図６の２０ａと２０ｂの混色部は、中濃度との三段階に、あるいはその間をグラデーションとすることができ、その他必要とされる項目は「ｏｐ」ボタン２５によって展開可能とし、さらに色材特性の相違による厳密な補正をも可能としている。
また、混合比は等量混合例を示したが、さらに混合色を増加させるには混色する両者の比率を変化させた時の混色値近似値も、両色の濃度値調整で可能にし、極端な場合は、ＣＭＹ三原色だけで６、１２、２４色の計算も可能になる。当然ながら、色材の特殊性による調色結果の相違には個々に係数により補正可能とすることができる。【００２６】  なお、混色結果は、混色時に用いる光源の色特性に大きく支配され、種類によって大きく色が違ってくる。そこで光源はＪＩＳ準拠の色評価用蛍光灯を用いることが重要であるが、本アプリではそのＤ６５光源以外にＡ、Ｂ、Ｃ、Ｄ５０、Ｆ８に切り替え可能とし、光源に応じた発色ができ、より正しい混色結果が表示可能になる。
【産業上の利用可能性】
【００２７】  色は文化のバロメーターといわれるが、本発明は、ＪＩＳでもあるＣＩＥ  ＸＹＺ系に準拠する色計算法によって、これまで推測の域でしかなかった混色結果を「数値を特定」しかつその「混色特定色」を可視化できるる史上はじめての科学的混色システムの完成である。本発明の出現は、一言でいえば「色のメートル法誕生」である。なぜなら、これまでは、たとえ個々の色材についてＨＶ／Ｃ数値等が判明していても、任意の色材ＡとＢの色材を加えると何色になるかがわかる色材単品も色材混色システムは存在せず、本発明の出現によってそれが史上初めて可能になって、絵の具における減法混色がはじめて科学的に計算可能になり、その効率や効果はまさに革命的であるだけでなく、減法混色の科学性がはじめて論理的に納得可能にして色彩科学を著しく進歩発展させることができる。【００２８】  混色関連業界では本発明によりこれまで豊富な経験と特別な勘を必要とした混色操作が、迅速、容易に確実に可能になるので、どの業種においてもその調色、校正に要する手間と作業時間が大幅に短縮でき、効率よく高レベルの調色と校正が省力化をもって実現できる。【００２９】  一般ユーザーにとってもいうまでもなく、これまでのように試行錯誤することなくあらかじめ混色結果を知ることが可能になり、少ない色材セットで多数の混色結果を知ることが実現し、混色に苦労することがなくなる。６５。。その場合、目的とする欲しい色を入力すれば、それに必要な絵の具と混色割合が得られるよう「ｏｐ」機能にもたらすことが可能である。【００３０】  そして、色彩教育においてはこれまでは色の加減算、絵の具の混色も説明の手がかりがほとんどわからず美術教員も物理教員もお手上げ、おそらく［０００３］の質問にも正解は十中八九無理であったであろうが、本発明によれば、混合する色が感覚だけでなく数理的、実証的に証明可能になるので旧来の矛盾や間違いが正されるとともに、［０００５］〜［０００６］に記した半世紀以上にもまたがる色彩学界の腐敗を正して刷新し、色彩科学と色彩文化、色彩教育の進歩発展に大きく貢献できる、それは国民の＜何故かを問う＞重要性と科学する力と論理力を養って大げさでなく閉塞状態にある日本国を名実ともに近代国家にするための改革の原動力とすることが期待できる。
【図面の簡単な説明】
【００３１】
【図１】主なＪＩＳ色名とＨＶ／Ｃ値およびそのＣＭＹ値表。
【図２】図１にある二色を混合したときに得られる合成色の合ＣＭＹ値、およびそのＨＶ／Ｃ変換値の表示例。
【図３】色計算アプリによるＡ、Ｂ、Ｃ、Ｄ各混合色のＣＭＹ濃度の計算例の図に換えた画像。
【図４】Ａ、Ｂ、Ｃ、Ｄ各色計算値と絵の具の混色結果の整合性を検証する図に換えた画像。
【図５】水彩絵の具４本セットの場合に添付する混色ガイドの実施例。
【図６】スマホ混色計算アプリの一実施例。
【符号の説明】
【００３２】１  色材番号の色名、そのＪＩＳ  ＨＶ／Ｃ値
（ＪＩＳ  Ｓ  ６０２５記載、および該ＨＶ／Ｃ値からのＣＭＹ濃度値。
１ｂ  ＨＶ／Ｃ値を変換したＣＭＹ濃度値。
２  Ａ色の合成色値。
３  Ｂ色の合成色値。
４  Ｃ色の合成色値。
５  Ｄ色の合成色値。
６  Ａ色（２＋８）の計算例。
７  Ｂ色（７＋１０）の計算例。
８  Ｃ色（７＋８）の計算例。
９  Ｄ色（８＋１０）の計算例。
９ｂ  透過色計算例。
１０  Ａ（▲２▼＋▲８▼）の絵の具の混色例と１０ＧＹ／７の三明度段階のマンセル色票との比較検証。
１１  Ｂ（▲７▼＋▲１０▼）の絵の具の混色例と２．５ＹＲ／７の三明度段階のマンセル色票との比較検証。
１２  Ｃ（▲７▼＋▲８▼）の絵の具の混色例と１０ＰＢ／１２の三明度段階のマンセル色票との比較検証。
１３  Ｄ（▲８▼＋▲１０▼）の絵の具の混色例と７．５Ｇ／６の三明度段階のマンセル色票との比較検証。
１４  各色を反射色としてたとえば白紙上で混ぜ合わせた場合の合成色例。
１５  各色を透過色としてたとえば透明板上で混ぜ合わ透過させた場合の合成色例。
１６  スマホ
１７  モニタ発色部
１８  Ａ色表示部
１８ａ  色材ＨＶ／Ｃ値表示窓
１８ｂ  Ａ選択用アッ
１９  Ｂ色表示部
１９ａ  色材ＨＶ／Ｃ値表示窓
１９ｂ  Ｂ選択用アップダウンキー
２０ａ  混色Ａ＋Ｂの低濃度（透過）表示部
２０ｂ  混色Ａ＋Ｂの高濃度表示部
２１  計算値表示部
２２  色材データー入力窓
２３ａ  色材選択キー
２３ｂ  色材選択キー
２３ｃ  色材選択キー
２３ｄ  色材選択キー
２４  光源選択ボタン
２５  オプションョンボタン
２６  ロックボタン
２７  メインスイッチ
【図１】
2020085876.tif 000003
【図２】
2020085876.tif 000004
【図３】
2020085876.tif 000005
【図４】
2020085876.tif 000006
【図５】
2020085876.tif 000007
【図６】
2020085876.tif 000008